【手続補正書】
【提出日】平成24年8月1日(2012.8.1)
【手続補正１】
【補正対象書類名】特許請求の範囲
【補正対象項目名】全文
【補正方法】変更
【補正の内容】
【特許請求の範囲】
【請求項１】
異なるメッセージ・サービスを使用して第１のユーザーと第２のユーザーとの間で通信する方法において、
第１のメッセージ・サービスを介して第１のフォーマットで第１のユーザーから第１のメッセージを受信するステップであって、前記第１のメッセージは前記第１のユーザーに関連付けられたソース識別子、前記第２のユーザーに関連付けられた宛先識別子、及びテキストを含む、受信するステップと、
前記第１のメッセージに含まれる前記宛先識別子に基づいて、前記第２のユーザーに関連付けられる宛先モバイル装置番号を識別するステップと、
前記第１のユーザーと前記第２のユーザーとの間に存在する１つ又は複数のアクティブな通信セッションを決定するステップと、
前記第１のユーザーと前記第２のユーザーとの間の前記１つ又は複数のアクティブな通信セッションを決定することに応答して前記第１のユーザーにセッションＩＤを割り当てるステップであって、前記第１のユーザーと前記第２のユーザーとの間に存在する前記決定された１つ又は複数のアクティブな通信セッションに関連付けられるセッションＩＤとは重複しないセッションＩＤを前記第１のユーザーに割り当てるステップを含む、割り当てるステップと、
前記第１のフォーマットで受信された前記第１のメッセージを第２のフォーマットの第２のメッセージへ変換するステップと、
前記宛先モバイル装置番号に関連付けられたモバイル装置へ前記第２のメッセージを送るステップであって、前記第２のメッセージは第２のメッセージ・サービスを介して前記宛先モバイル装置番号に送られる、送るステップと
を含む方法。
【請求項２】
前記第１のメッセージ・サービスはインスタント・メッセージ（ＩＭ）サービスを含む請求項１に記載の方法。
【請求項３】
前記第２のメッセージ・サービスはショート・メッセージ・サービス（ＳＭＳ）を含む請求項２に記載の方法。
【請求項４】
前記ソース識別子にセッションＩＤを割り当てるステップは、
前記第１のユーザーに移動局国際加入者ディレクトリー番号（ＭＳＩＳＤＮ）を割り当てるステップを含む請求項３に記載の方法。
【請求項５】
第１のユーザーにＭＳＩＳＤＮを割り当てる前記ステップは、
ネットワーク所有者からＭＳＩＳＤＮを取得するステップと、
前記第１のユーザーに関連付けられた前記ソース識別子に前記ＭＳＩＳＤＮをマッピングするステップと
を含む請求項４に記載の方法。
【請求項６】
第１のフォーマットで受信された第１のメッセージを第２のフォーマットの第２のメッセージへ変換する前記ステップは、
前記第１のメッセージに含まれる前記ソース識別子を識別するステップと、
前記第２のフォーマットで第２のメッセージを生成するステップと
を含み、前記第２のメッセージは、前記第１のユーザーに割り当てられた前記ＭＳＩＳＤＮを含むソース・アドレス、前記宛先モバイル装置番号を含む宛先アドレス、及び前記第１のメッセージからの前記テキストを含む請求項４に記載の方法。
【請求項７】
第１のフォーマットの第１のメッセージを第２のフォーマットの第２のメッセージへ変換する前記ステップは、
前記第１のメッセージから前記ソース識別子を取得するステップと、
前記第２のメッセージ中のテキストに前記ソース識別子を加えるステップと
をさらに含む請求項５に記載の方法。
【請求項８】
宛先モバイル装置番号を識別する前記ステップは、前記第２のユーザーのモバイル装置のＭＳＩＳＤＮを識別するステップを含む請求項４に記載の方法。
【請求項９】
第１のメッセージを第２のメッセージに変換する前記ステップは、
ＳＭＳを介した配信に適しているテキスト・メッセージを生成するステップを含み、前記テキスト・メッセージのソース・アドレスは前記第１のユーザーに割り当てられた前記ＭＳＩＳＤＮであり、前記テキスト・メッセージの宛先アドレスは前記第２のユーザーのモバイル装置のＭＳＩＳＤＮである請求項８に記載の方法。
【請求項１０】
第１のネットワークオペレーターによって動作されるインスタント・メッセージ（ＩＭ）サービスを介して通信する第１のユーザーと、第２のネットワークオペレーターによって動作されるショート・メッセージ・サービス（ＳＭＳ）を介して通信する第２のユーザーとの間でメッセージを送信する方法において、
前記第１のユーザーからＩＭを受信するステップであって、前記ＩＭはソース・アドレス及び宛先アドレスを含み、前記ソース・アドレスは前記第１のユーザーに関連付けられたＩＭ識別子であり、前記宛先アドレスは前記第２のユーザーに関連付けられたＩＭ識別子である、受信するステップと、
前記ＩＭに含まれる前記宛先アドレスに基づいて、前記第２のユーザーに関連付けられる第２の移動局国際加入者ディレクトリー番号（ＭＳＩＳＤＮ）を識別するステップと、
前記第１のユーザーに第１のＭＳＩＳＤＮを割り当てるステップであって、前記第１のユーザーと前記第２のユーザーとの間に存在する１つ又は複数のアクティブな通信セッションを識別するステップ、及び、前記第１のユーザーと前記第２のユーザーとの間に存在する前記１つ又は複数のアクティブな通信セッションの各々に関連付けられるＭＳＩＳＤＮとは重複しないＭＳＩＳＤＮを前記第１のユーザーに割り当てるステップを含む、割り当てるステップと、
前記第１のユーザーから受信した前記ＩＭを、ＳＭＳを介した前記第２のユーザーへの配信に適しているテキスト・メッセージに変換するステップであって、前記テキスト・メッセージはソース・アドレス及び宛先アドレスを含み、前記ソース・アドレスは前記第１のユーザーに割り当てられた前記第１のＭＳＩＳＤＮであり、前記宛先アドレスは前記第２のユーザーに関連付けられた前記第２のＭＳＩＳＤＮである、変換するステップと、
ＳＭＳを介して前記第２のユーザーへ前記テキスト・メッセージを送るステップと
を含む方法。
【請求項１１】
ＩＭをテキスト・メッセージに変換する前記ステップは、
前記テキスト・メッセージの本体部分へ前記第１のユーザーに関連付けられた前記ＩＭ識別子を配置するステップをさらに含む請求項１０に記載の方法。
【請求項１２】
第１のユーザーに第１のＭＳＩＳＤＮを割り当てる前記ステップは、
前記第１のユーザーと前記第２のユーザーとの間で通信セッションが確立される場合に前記第１のユーザーに対して前記第１のＭＳＩＳＤＮを割り当てるステップと、
前記第１のユーザーと前記第２のユーザーとの間の通信セッションが終了した後に、前記第１のユーザーに割り当てられた前記第１のＭＳＩＳＤＮをネットワークオペレーターへ返すステップと
を含む請求項１０に記載の方法。
【請求項１３】
前記第１のユーザーから第２のＩＭを受信するステップであって、前記第２のＩＭはソース・アドレス及び宛先アドレスを含み、前記ソース・アドレスは前記第１のユーザーに関連付けられたＩＭ識別子であり、前記宛先アドレスは第３のユーザーに関連付けられたＩＭ識別子である、受信するステップと、
前記第３のユーザーに関連付けられた前記ＩＭ識別子に基づいて、前記第３のユーザーに関連付けられる第３のＭＳＩＳＤＮを識別するステップと、
前記第２のＩＭを、ＳＭＳを介した前記第３のユーザーへの配信に適している第２のテキスト・メッセージに変換するステップであって、前記テキスト・メッセージはソース・アドレス及び宛先アドレスを含み、前記第１のユーザーに割り当てられた前記第１のＭＳＩＳＤＮは前記テキスト・メッセージのソース・アドレスであり、前記第３のユーザーのモバイル装置に関連付けられた第３のＭＳＩＳＤＮは前記テキスト・メッセージの宛先アドレスである、変換するステップと、
ＳＭＳを介して前記第３のユーザーへ前記第２のテキスト・メッセージを送るステップと
をさらに含む請求項１０に記載の方法。
【請求項１４】
前記第１のユーザーへの配信を意図して、ＳＭＳを介して前記第３のユーザーから応答テキスト・メッセージを受信するステップであって、前記応答テキスト・メッセージは、前記第３のユーザーのモバイル装置に関連付けられた第３のＭＳＩＳＤＮを含むソース・アドレス、及び前記第１のユーザーに割り当てられた前記ＭＳＩＳＤＮを含む宛先アドレスを含む、受信するステップと、
前記応答テキスト・メッセージをＩＭに変換するステップと、
ＩＭサービスを介して、前記第１のユーザーに関連付けられた前記ＩＭ識別子へ前記ＩＭを送るステップと
をさらに含む請求項１３に記載の方法。
【請求項１５】
前記第１のネットワークオペレーターは前記第２のネットワークオペレーターとは異なる請求項１０に記載の方法。
【請求項１６】
インスタント・メッセージ（ＩＭ）サービスを介して通信する第１のユーザーとショート・メッセージ・サービス（ＳＭＳ）を介して通信する第２のユーザーとの間の通信を可能にする方法において、
ＳＭＳを介して、第２のユーザーのモバイル装置上で第１のネットワークオペレーターを介してテキスト・メッセージを受信するステップであって、前記テキスト・メッセージは、ＩＭサービスを介して前記第１のユーザーによって送信されたメッセージ、及び前記第１のユーザーに一時的に割り当てられた移動局国際加入者ディレクトリー番号（ＭＳＩＳＤＮ）を含むソース・アドレスを含み、前記ＭＳＩＳＤＮは、前記第１のユーザーと前記第２のユーザーとの間に存在する１つ又は複数のアクティブな通信セッションを識別し、前記第１のユーザーと前記第２のユーザーとの間に存在する前記１つ又は複数のアクティブな通信セッションに関連付けられるＭＳＩＳＤＮとは重複しないＭＳＩＳＤＮを前記第１のユーザーに割り当てることによって、前記第１のユーザーに一時的に割り当てられる、受信するステップと、
前記モバイル装置上で受信された前記テキスト・メッセージに応答して前記モバイル装置上で応答テキスト・メッセージを生成するステップであって、前記応答テキスト・メッセージは前記第１のユーザーへの配信を意図しており、前記応答テキスト・メッセージは、前記モバイル装置に関連付けられたＭＳＩＳＤＮを含むソース・アドレス、前記第１のユーザーに一時的に割り当てられた前記ＭＳＩＳＤＮを含む宛先アドレス、及びテキストを含む、生成するステップと、
ＳＭＳを介して前記モバイル装置から前記応答テキスト・メッセージを受信するステップと、
前記応答テキスト・メッセージをＩＭに変換するステップであって、通信セッションＩＤを識別するステップを含み、前記通信セッションＩＤは、前記第１のユーザーに割り当てられるＭＳＩＳＤＮ、前記第２のユーザーの前記モバイル装置のＭＳＩＳＤＮ、前記第１のユーザーに一時的に割り当てられるＭＳＩＳＤＮに関連付けられるＩＭ識別子、及び前記第２のユーザーに割り当てられるＭＳＩＳＤＮに関連付けられるＩＭ識別子を含む、変換するステップと、
ＩＭサービスを介して、第２のネットワークオペレーターを介して、前記第１のユーザーに一時的に割り当てられたＭＳＩＳＤＮに関連付けられるＩＭ識別子へ前記ＩＭを送るステップと
を含む方法。
【請求項１７】
前記第１のネットワークオペレーターは前記第２のネットワークオペレーターとは異なる請求項１６に記載の方法。
【請求項１８】
応答テキスト・メッセージをＩＭに変換する前記ステップは、
前記モバイル装置のＭＳＩＳＤＮに関連付けられたＩＭ識別子を識別するステップと、
前記第１のユーザーに一時的に割り当てられた前記ＭＳＩＳＤＮに関連付けられたＩＭ識別子を識別するステップと、
前記モバイル装置の前記ＭＳＩＳＤＮに関連付けられた前記ＩＭ識別子を含むソース・アドレス、
前記第１のユーザーに一時的に割り当てられた前記ＭＳＩＳＤＮに関連付けられた前記ＩＭ識別子を含む宛先アドレス、及び
前記応答テキスト・メッセージからの前記テキスト
を含むＩＭを生成するステップと
を含む請求項１６に記載の方法。
【請求項１９】
ＳＭＳを介して受信された前記テキスト・メッセージは、前記第１のユーザーに関連付けられた前記ＩＭ識別子を含む請求項１６に記載の方法。
【請求項２０】
第１のユーザーに一時的に割り当てられたＭＳＩＳＤＮに関連付けられたＩＭ識別子を識別する前記ステップは、
データベースに格納された通信セッションＩＤを識別するステップであって、前記通信セッションＩＤは、前記第１のユーザーに割り当てられた前記ＭＳＩＳＤＮ、前記第２のユーザーのモバイル装置のＭＳＩＳＤＮ、及び前記第１のユーザーに割り当てられた前記ＭＳＩＳＤＮに関連付けられたＩＭ識別子を含む、識別するステップと、
前記第１のユーザーに割り当てられた前記ＭＳＩＳＤＮを識別するステップと、
前記第１のユーザーに割り当てられた前記ＭＳＩＳＤＮに関連付けられた前記ＩＭ識別子を決定するステップと
を含む請求項１８に記載の方法。